(57)【要約】      （修正有）【課題】制限シートが不意に触れても、ロープベルトが緩めて固定されないことを防止でき、荷物が難なく目的地に送られるラチェットバックルの自動ラッチ構造を提供する。【解決手段】ラッチ部１０と引っ張り部２０が、連接棒３０によって連接され、引っ張り部２０が操作されると、ラッチ部１０に係合するラッチ４０が旋回され、連接棒３１が一方向に転動し、連接棒３０に巻き込まれたロープベルトが、それに応じて緊密に締まられ、また、引っ張り部に、押し圧機能があり、押し圧されると、引っ張り部２０が操作されるが、ラッチ４０が転動しなく、引っ張り部２０で、ロープベルトの緩めを制御でき、また、ラッチ部１０の中央に、ばねによってラッチ４０に付勢される制限シート５０が設けられ、制限シート５０が、ラッチ部１０の両側にあるレール槽１２に位置し、係合爪４３が、制限シート５０に係合されて固定され、制限シート５０の前方に、退避空間５１が設置される。係合ブロック５２の高さが退避空間５１と異なり、その段差にラッチの係合爪４３が係合される。【選択図】図２
0003148250.tif 000002
【実用新案登録請求の範囲】
【請求項１】
ラッチ部と一引っ張り部があり、ラッチ部と引っ張り部が、連接棒によって連接され、引っ張り部が操作されると、ラッチ部に係合するラッチが旋回され、連接棒が一方向に転動し、連接棒に巻き込まれたロープベルトが、それに応じて緊密に締まられ、また、引っ張り部に、押し圧機能があり、押し圧されると、引っ張り部が操作されるが、ラッチが転動しなく、引っ張り部で、ロープベルトの緩めを制御でき、また、ラッチ部の中央に、ばねによってラッチに付勢される制限シートが設けられ、上記制限シートが、ラッチ部の両側にあるレール槽に位置し、
ラッチの周縁面上に、均一に、複数の一方向のつめが設けられ、つめの係止縁において、それぞれ、凹むように、凹槽が形成され、凹槽からつめの上部まで、ホック状の係合爪が形成され、それらの係合爪が、制限シートに係合されて固定され、制限シートにおいて、ラッチに対応する位置に、退避空間が設けられ、制限シートの前方に、退避空間が設置されることにより、自動的に係合ブロックが形成され、上記係合ブロックの高さが、退避空間と異なり、上記の段差に、ラッチの係合爪が係合される、
ことを特徴とするラチェットバックルの自動ラッチ構造。
【請求項２】
分離式ラチェットバックルに適用されることを特徴とする請求項１に記載のラチェットバックルの自動ラッチ構造。
【請求項３】
一般の従来式のラチェットバックルに適用されることを特徴とする請求項１に記載のラチェットバックルの自動ラッチ構造。
【請求項４】
制限シート上の退避空間が、槽を開口することにより形成されることを特徴とする請求項１に記載のラチェットバックルの自動ラッチ構造。
【請求項５】
制限シート上の退避空間が、貫通孔により形成されることを特徴とする請求項１に記載のラチェットバックルの自動ラッチ構造。
【請求項６】
制限シート上の退避空間が、直接に係合ブロックを突起することにより形成されることを特徴とする請求項１に記載のラチェットバックルの自動ラッチ構造。
【請求項７】
ラッチ部の両側に、引っ張り部によりラッチが連動されて転動される最大のストロークの位置に、ストッパーが形成されることを特徴とする請求項１に記載のラチェットバックルの自動ラッチ構造。
【考案の詳細な説明】
【技術分野】
【０００１】
本考案は、ラチェットバックルの自動ラッチ構造に関し、特に、引っ張り部が取り外された後、制限シートが不意に触れられて、ロープベルトが緩めて固定されなくなるラチェットバックルに関する。
【背景技術】
【０００２】
従来の分離式ラチェットバックル構造は、図９のように、ラッチ部６０と引っ張り部７０があり、ラッチ部６０と引っ張り部７０が、連接棒８０により連接され、引っ張り部７０が操作されると、ラッチ部６０のラッチ６１が係合されて旋回され、連接棒８０が、一方向に転動し、連接棒８０に巻き込まれたロープベルトが、相対的に緊密に締まられ、また、引っ張り部７０に押し圧機能があり、押し圧された後、引っ張り部７０を操作すると、ラッチ６１が転動されず、引っ張り部７０で、ロープベルトの緩めを制御でき、また、ラッチ部６０と連接棒８０を、分離するように制御でき、そして、ラッチ部６０の中央部に、ばね６２によりラッチ６１に付勢される制限シート６３が設けられ、上記制限シート６３が、ラッチ部６０の両側にあるレール槽６４に位置する。上記の従来構造は、荷物を緊密に締まった後、引っ張り部７０を取り外すことができ、一つの引っ張り部７０を、複数のラッチ部６０に使用できるが、引っ張り部７０が取り外された後、ラッチ部６０上において、ストッパーとなるものが無くなるため、不審者などにより直接に、制限シート６３を後へ操作すると（図１０のように）、ロープベルトが緩められて固定されなくなり、荷物が落下する恐れがある。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、係合爪と係合ブロックが互いに係合することにより、制限シートが、操作状況でない場合、後へ移動することが出来なく、これにより、引っ張り部が取り外された時、上記係合効果により、制限シートが、不意に触れても、ロープベルトが緩めて固定されないことを防止でき、荷物が難なく目的地に送られるラチェットバックルの自動ラッチ構造を提供する。
【課題を解決するための手段】
【０００５】
請求項１の考案は、ラッチ部と一引っ張り部があり、ラッチ部と引っ張り部が、連接棒によって連接され、引っ張り部が操作されると、ラッチ部に係合するラッチが旋回され、連接棒により一方向に転動し、連接棒に巻き込まれたロープベルトが、それに応じて緊密に締まられ、また、引っ張り部に、押し圧機能があり、當押し圧されると、引っ張り部が操作されるが、ラッチが転動しなく、引っ張り部で、ロープベルトを制御でき、また、ラッチ部の中央に、ばねによってラッチに付勢される制限シートが設けられ、上記制限シートが、ラッチ部の両側にあるレール槽に位置し、ラッチの周縁面上に、均一に、複数の一方向のつめが設けられ、つめの係止縁において、それぞれ、凹むように、凹槽が形成され、凹槽からつめの上部まで、ホック状の係合爪が形成され、それらの係合爪が、制限シートに係合されて固定され、制限シートにおいて、ラッチに対応する位置に、退避空間が設けられ、制限シートの前方に、退避空間が設置されることにより、自動的に係合ブロックが形成され、上記係合ブロックの高さが、退避空間と異なり、上記の段差に、ラッチの係合爪が係合される、ことを特徴とするラチェットバックルの自動ラッチ構造である。
【０００６】
請求項２の考案は、分離式ラチェットバックルに適用されることを特徴とする請求項１に記載のラチェットバックルの自動ラッチ構造である。
【０００７】
請求項３の考案は、一般の従来式のラチェットバックルに適用されることを特徴とする請求項１に記載のラチェットバックルの自動ラッチ構造である。
【０００８】
請求項４の考案は、制限シート上の退避空間が、槽を開口することにより形成されることを特徴とする請求項１に記載のラチェットバックルの自動ラッチ構造である。
【０００９】
請求項５の考案は、制限シート上の退避空間が、貫通孔により形成されることを特徴とする請求項１に記載のラチェットバックルの自動ラッチ構造である。
【００１０】
請求項６の考案は、制限シート上の退避空間が、直接に係合ブロックを突起することにより形成されることを特徴とする請求項１に記載のラチェットバックルの自動ラッチ構造である。
【００１１】
請求項７の考案は、ラッチ部の両側に、引っ張り部によりラッチが連動されて転動される最大のストロークの位置に、ストッパーが形成されることを特徴とする請求項１に記載のラチェットバックルの自動ラッチ構造である。
【００１２】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１３】
図１〜図３のように、本考案は、ラッチ部１０と引っ張り部２０があり、ラッチ部１０と引っ張り部２０が、連接棒３０により連接され、引っ張り部２０が操作されると、ラッチ部１０のラッチ４０が係合されて旋回され、連接棒３０が一方向に転動し、連接棒３０に巻き込まれたロープベルトが、それに応じて緊密に染まられ、また、引っ張り部２０に、押し圧機能があり、押し圧されたと、引っ張り部２０が操作されるが、ラッチ４０が転動しなく、引っ張り部２０で、ロープベルトの緩めを制御でき、また、ラッチ部１０と連接棒３０が、分離され、そして、ラッチ部１０の中央部に、ばね１１によりラッチ４０に付勢される制限シート５０が設けられ、上記制限シート５０が、ラッチ部１０の両側にあるレール槽１２に位置する。
【００１４】
ラッチ４０の周縁面上に、均一に、複数の一方向のつめ４１が設けられ、つめ４１の係止縁において、それぞれ、凹むように、凹槽４２が形成され、凹槽４２からつめの上部まで、ホック状の係合爪４３が形成され、それらの係合爪４３が、制限シート５０に係合されて固定される。
【００１５】
制限シート５０において、ラッチ４０に対応する位置に、退避空間５１が設けられ、制限シート５０の前方に、退避空間５１が設置されることにより、自動的に係合ブロック５２が形成され、上記係合ブロック５２の高さが、退避空間５１と異なり、上記の段差に、ラッチ４０の係合爪４３が係合される。
【００１６】
荷物を束縛する時、連接棒３０は、ロープベルトに合わせて、引っ張り部２０が、ラッチ部１０上で持続に操作されると、連接棒３０とラッチ４０が旋回し、同時に、ロープベルトが連動されて緊密に締まられ、ラッチ４０が、制限シート５０により一方向に固定され、そのため、ロープベルトが緩めることなく、ロープベルトが、完全に締まられて固定されると、引っ張り部２０を操作しない限り、引っ張り部２０の押し圧により、連動片２１がラッチ４０から脱離することないように制御され、また、二つの側蓋板２２が開く支持され、引っ張り部２０が取り外されても（図４と５のように）、ラッチ４０の係合爪４３が、常に制限シート５０の係合ブロック５２上に係合されるため、制限シート５０が、操作状況でない場合、後へ移動することなく、そのため、引っ張り部２０が取り外された時、上記の係合効果により、制限シート５０が、不意に触られることにより、ロープベルトが緩めて固定されなくなることを防止でき、荷物が、難なく順調に目的地に運送され、また、ロープベルトを緩める時、引っ張り部２０を押し圧して、引っ張り部２０が、ロープベルトを巻かない状態で、上へ操作され、最大のストローク位置まで操作されると、引っ張り部２０を放して、更に後へ力を印加すると、連動片２１により、最後の半分のつめ４１０が後へ変位し、制限シート５０に係合されるつめ４１が、同時に、上へ上げられ、これにより、スムーズに、ロープベルトを緩めることができる。
【００１７】
また、制限シート５０上の退避空間５１は、槽を開口すること（図１〜図５を参照しながら）、貫通孔（図６のように）、或いは直接に係合ブロック５２を突起すること（図７のように）等方式により形成されてもいいし、また、上記ラッチ部１０の両側にある起立板１３の前方において、引っ張り部２０により連動されたラッチ４０の転動が、最大のストローク位置に、更に、ストッパー１４が突出するように（図６と７のように）形成されても良く、上記ストッパー１４の抵当により、引っ張り部２０が、過度に操作されることを防止でき、即ち、やっと締まられたロープベルトが、自動的に緩めることを防止できる。
【００１８】
また、本發明に係る自動ラッチ構造は、分離式ラチェットバックルだけに適用できるではなく、従来のラチェットバックルにも適用でき（図８のように）、上記自動ラッチ構造の係合により、制限シート５０の定位効果がより有効になり、また、ラッチ４０に過大の負荷が印加されたことによる滑り現象を防止できる。
【００１９】
上記ラチェットバックルの自動ラッチ構造によれば、次の利点が得られ、係合爪４３と係合ブロック５２とが互いに係合することにより、制限シート５０は、操作ではない場合、更に後へ移動することがなく、そのため、引っ張り部２０が取り外された時、上記の係合効果により、制限シート５０が、不意に触られることにより、ロープベルトが緩めて固定されなくなる現象を防止でき、そのため、難なく、荷物を順調に目的地に運送される。
【００２０】
本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案の立体組立て図
【図２】本考案の立体分解図
【図３】本考案の組立て断面図
【図４】本考案の引っ張り部が取り外された時の立体状態図
【図５】本考案の引っ張り部が取り外された時の断面図
【図６】本考案の他の実施例図
【図７】本考案の更の他の実施例図
【図８】本考案を従来ラチェットバックルに適用される時の実施状態図
【図９】従来の立体分解図
【図１０】従来の引っ張り部が取り外された場合の制限シートが触られた時の状態図
【符号の説明】
【００２３】
本考案
１０    ラッチ部
１１    ばね
１２    レール槽
１３    起立板
１４    ストッパー
２０    引っ張り部
２１    連動片
２２    側蓋板
３０    連接棒
４０    ラッチ
４１    つめ
４１０  つめ
４２    凹槽
４３    係合爪
５０    制限シート
５１    退避空間
５２    係合ブロック
従来
６０    ラッチ部
６１    ラッチ
６２    ばね
６３    制限シート
６４    レール槽
７０    引っ張り部
８０    連接棒
【図１】
0003148250.tif 000003
【図２】
0003148250.tif 000004
【図３】
0003148250.tif 000005
【図４】
0003148250.tif 000006
【図５】
0003148250.tif 000007
【図６】
0003148250.tif 000008
【図７】
0003148250.tif 000009
【図８】
0003148250.tif 000010
【図９】
0003148250.tif 000011
【図１０】
0003148250.tif 000012